(57)【要約】【課題】混載原稿の読取時において、原稿のサイズに対応する記録紙がない場合の使い勝手を向上させた原稿読取装置を提供する。【解決手段】複合機１０は、原稿の端部を検出して原稿読取準備を開始するための検出信号を出力する第２原稿位置検知センサＤＳ２と、前記センサの下流に設けられ、原稿を読み取る密着型イメージセンサ２９とを搬送経路に備える。制御装置４２は原稿が第２原稿位置検知センサＤＳ２に達する前で、ステップモータ２６を停止させて原稿の搬送を停止させ、原稿のサイズに対応する記録紙の有無を判定する。制御装置４２は記録紙が無い場合、原稿のサイズに対応する記録紙が補充されたことを示す情報、又は、搬送されている原稿のサイズとは対応しない記録紙を選択する選択情報に基づいて原稿搬送を再開すべく、ステップモータ２６を制御する。【選択図】        図３
2005164959.tif 000002
【特許請求の範囲】
【請求項１】
原稿の端部を検出して原稿読取準備を開始するための検出信号を出力する原稿読取準備用検出手段と、前記原稿読取準備用検出手段の下流に設けられ、原稿を読み取る読取手段とを搬送経路に備えた原稿読取装置において、前記原稿読取準備用検出手段に達する前で、搬送手段による原稿の搬送を停止させる手段と、前記原稿のサイズに対応する記録紙の有無を判定する判定手段と、前記記録紙が無いと判定されたとき、前記原稿のサイズに対応する記録紙が補充されたことを示す情報、又は、搬送されている原稿のサイズとは対応しない記録紙を選択する選択情報に基づいて原稿搬送を再開すべく、前記搬送手段を制御する手段を備えた原稿読取装置。
【請求項２】
原稿の端部を検出して原稿読取準備を開始するための検出信号を出力する原稿読取準備用検出手段と、前記原稿読取準備用検出手段の下流に設けられ、原稿を読み取る読取手段とを搬送経路に備えた原稿読取装置において、前記原稿のサイズに対応する記録紙の有無を判定する判定手段と、前記記録紙が無いと判定されたとき、前記原稿読取準備用検出手段に達する前で、搬送手段による原稿の搬送を停止させる手段と、前記原稿のサイズに対応する記録紙が補充されたことを示す情報、又は、搬送されている原稿のサイズとは対応しない記録紙を選択する選択情報に基づいて原稿搬送を再開すべく、前記搬送手段を制御する手段を備えた原稿読取装置。
【請求項３】
報知手段を制御する報知モード、又は、前記読取手段の読取を中止する読取中止モードを選択的に設定する設定手段と、報知モード時に前記原稿のサイズに対応する記録紙が無いと判定された場合、前記報知手段にて、記録紙がない旨を報知制御する報知制御手段と、読取中止モード時に前記判定手段が前記原稿のサイズに対応する記録紙がないと判定された場合、前記搬送手段を制御して搬送経路の原稿を搬送経路から排出する原稿排出制御手段を備えたことを特徴とする請求項１又は請求項２に記載の原稿読取装置。
【発明の詳細な説明】
【技術分野】
【０００１】
本発明は、複写機、及びスキャナーや、それらの複合機に設けられる原稿読取装置に関する。
【背景技術】
【０００２】
近年、原稿載置板上に載置された静止原稿を読み取るフラットベッドスキャナ（ＦＢＳ）と複数の原稿を自動的に読み取る複数原稿自動読取装置（ＡＤＦ）とを備えたコピー機や複写機能付きファクシミリ装置が原稿読取装置として主流になりつつある。
【０００３】
これらの原稿読取装置において、例えば異なる定形の原稿サイズに応じた記録紙を予め用意しておき、搬送経路内に搬送された原稿のサイズが検出されて、そのサイズに応じた記録紙が選択されることにより、選択された記録紙に読み取られた画像を記録することができる装置も提案されている。
【０００４】
このような装置では、混載原稿のためのサイズ検知を行うようにされている。例えば、原稿の送り方向（副走査方向）の長さを検出する技術として、特許文献１では、原稿が搬送経路に供給されたとき、原稿の前端と後端を検出するセンサが設けられている。そして、複数原稿自動読取装置を利用してコピー等を行う場合は、原稿を原稿台に載置して、スタートキーを操作すると、原稿が１枚ずつ分離されながら供給される。そして、原稿が供給された搬送経路では、原稿の前端及び後端を検出するセンサにて、前端及び後端を検出する。そして、原稿の前端検出から後端検出までの間、原稿を搬送するローラを駆動するモータの回転数をカウントするようにしている。そして、このカウント数が、予めメモリに記憶された設定カウント数と一致しているか否かが、原稿後端検出時に判定され、一致している場合に、原稿の送り方向長さを判定するようにしている。又、原稿の幅（主走査方向の長さ）は、搬送経路内において、主走査方向に配置した幅検出のための原稿幅検出センサを設けるようにしている。
【０００５】
ところで、このような原稿読取装置では、搬送経路内に搬送された原稿は、搬送経路に設けられた読取部にて読み取られるが、搬送経路において読取部の上流には、読取部に読み取られる原稿の前端を検出する原稿検出センサが設けられているものがある。この原稿検出センサは、原稿の前端検出により、読取部のための原稿読取準備処理が制御部にてされるようになっている。この原稿読取準備処理は、例えば、読取部にて読み取られる原稿の画像データを拡大又は縮小するために、前記読取部での原稿の搬送速度を可変したり、或いは、原稿のデータを等倍で記録する場合においても、原稿の搬送速度を、前記原稿検出センサまでの搬送領域と読取部通過領域とでは、異なるようにする処理である。
【特許文献１】特開２００２−６００８９号公報
【発明の開示】
【発明が解決しようとする課題】
【０００６】
上記のように、原稿のサイズ検知は原稿搬送中に行っているが、原稿読取装置の使用中、原稿サイズに応じた記録紙がなくなったときは、原稿の搬送を停止するようにしている。しかし、従来は、原稿の搬送停止をする以前にサイズ検知された原稿は、搬送停止時には既に前記原稿検出センサを原稿の前端を通過するようにしており、原稿のサイズによっては、読取部において、原稿の全部が読み取られていたり、或いは一部が読み取られていたりしている。このため、この読取りが無駄になる場合があった。
【０００７】
この理由を説明する。
従来は、サイズ検知された原稿と対応する記録紙がない場合、オペレータはその原稿サイズとは対応していない他のサイズの記録紙で記録を要望する場合がある。この場合とは、原稿の搬送が上記のように停止した後、他のサイズの記録紙を選び、オペレータが操作部にて「等倍コピー」、「縮小コピー」，或いは「拡大コピー」を選択して記録を要望する場合である。
【０００８】
一方、「等倍コピー」、「縮小コピー」、或いは「拡大コピー」が選択された場合、原稿検出センサの原稿の前端検出に基づいて、制御部が読取部のための原稿読取準備処理を行うようにしている。しかし、原稿の前端は、既に原稿検出センサを通過しているため、原稿の搬送が再開されたとき、読取部では、原稿前端を検出してから原稿読取準備処理を行う場合に比して、原稿読取が完全に行われず、一部が読取りができなかったりする場合がある。又、例えば、原稿サイズが最初「等倍コピー」で選択され、記録紙がなくて搬送停止された後に、「縮小コピー」、或いは「拡大コピー」が選択された場合、原稿読取準備処理における原稿の搬送速度が両コピー間では異なるため、原稿停止時までに既に読み取られたデータを使用することができず、読取が無駄になる場合もあった。
【０００９】
この場合、再び、原稿を原稿読取装置で読み取る必要があり、前記のように記録紙がなくなった場合、使い勝手が悪い問題があった。
本発明の目的は、混載原稿の読取時において、原稿のサイズに対応する記録紙がない場合の使い勝手を向上させた原稿読取装置を提供する。
【課題を解決するための手段】
【００１０】
上記問題点を解決するために、請求項１に記載の発明は、原稿の端部を検出して原稿読取準備を開始するための検出信号を出力する原稿読取準備用検出手段と、前記原稿読取準備用検出手段の下流に設けられ、原稿を読み取る読取手段とを搬送経路に備えた原稿読取装置において、前記原稿読取準備用検出手段に達する前で、搬送手段による原稿の搬送を停止させる手段と、前記原稿のサイズに対応する記録紙の有無を判定する判定手段と、前記記録紙が無いと判定されたとき、前記原稿のサイズに対応する記録紙が補充されたことを示す情報、又は、搬送されている原稿のサイズとは対応しない記録紙を選択する選択情報に基づいて原稿搬送を再開すべく、前記搬送手段を制御する手段を備えた原稿読取装置を要旨とするものである。
【００１１】
請求項２の発明は、原稿の端部を検出して原稿読取準備を開始するための検出信号を出力する原稿読取準備用検出手段と、前記原稿読取準備用検出手段の下流に設けられ、原稿を読み取る読取手段とを搬送経路に備えた原稿読取装置において、前記原稿のサイズに対応する記録紙の有無を判定する判定手段と、前記記録紙が無いと判定されたとき、前記原稿読取準備用検出手段に達する前で、搬送手段による原稿の搬送を停止させる手段と、前記原稿のサイズに対応する記録紙が補充されたことを示す情報、又は、搬送されている原稿のサイズとは対応しない記録紙を選択する選択情報に基づいて原稿搬送を再開すべく、前記搬送手段を制御する手段を備えた原稿読取装置を要旨とするものである。
【００１２】
請求項３の発明は、請求項１又は請求項２において、報知手段を制御する報知モード、又は、前記読取手段の読取を中止する読取中止モードを選択的に設定する設定手段と、報知モード時に前記原稿のサイズに対応する記録紙が無いと判定された場合、前記報知手段にて、記録紙がない旨を報知制御する報知制御手段と、読取中止モード時に前記判定手段が前記原稿のサイズに対応する記録紙がないと判定された場合、前記搬送手段を制御して搬送経路の原稿を搬送経路から排出する原稿排出制御手段を備えたことを特徴とする。
【発明の効果】
【００１３】
請求項１乃至請求項３の発明によれば、原稿サイズと異なる他のサイズの記録紙が選択された場合、原稿は、原稿読取準備用検出手段の前で停止しているため、原稿搬送が再開されると、原稿は原稿読取準備用検出手段にて検出されるため、原稿読取準備を自動的に行うことができ、このため、支障なく、原稿を読取手段にて、読み取ることができる。この結果、混載原稿の読取時において、原稿のサイズに対応する記録紙がない場合の使い勝手を向上させることができる。
【発明を実施するための最良の形態】
【００１４】
（第１実施形態）
以下、本発明の原稿読取装置を複写機能付きファクシミリ装置（以下、複合機という）に具体化した一実施形態を図１〜図６を参照して説明する。
【００１５】
図２に示すように、原稿読取装置としての複合機１０の上部には、原稿を連続的に搬送して表裏両面を読み取るために複数の原稿を連続的に搬送するための原稿給送部１１、静止画像を読み取るための原稿載置部１２、原稿読み取り機構を備えた原稿読取機構部１３が装設されている。また、複合機１０の下部には、それぞれ図示しない周知の記録紙供給部、記録部及び記録紙排出部が装設されている。
【００１６】
原稿給送部１１は、読取前の複数の原稿を、積層状態で載置する原稿台１４と、読取後の原稿を積層状態で載置する原稿排出台１５とを備えている。また、原稿給送部１１は、原稿台１４に載置された複数枚の原稿の前端が当接される開閉可能なシャッター１６と、閉鎖状態のシャッター１６に前端が当接された複数枚の原稿のうち一番上の原稿に当接して前方へ搬送するピックアップローラ１７とを備えている。なお、原稿の前端とは、原稿の送り方向側の端をいい、後端とは、反送り方向側の端をいう。さらに、原稿給送部１１は、ピックアップローラ１７によりシャッター１６を通過して搬送された原稿を１枚ずつ分離して前方へ送り込む分離ローラ１８及び分離パッド１８ａを備えている。本実施形態の搬送経路は、分離ローラ１８から、原稿排出台１５への原稿の排出口までが１つの経路となるように構成されている。分離ローラ１８は、原稿送り込みローラに相当する。
【００１７】
また、図１及び図２に示すように、原稿給送部１１は、搬送経路に沿って順にレジストローラ１９、第１給送ローラ２０、第２給送ローラ２１、表面読取用ローラ２２、第３給送ローラ２３、裏面読取用ローラ２４、第４給送ローラ２５を備えている。レジストローラ１９、第１給送ローラ２０、第２給送ローラ２１、第３給送ローラ２３及び第４給送ローラ２５は、それぞれアイドルローラ１９ａ，２０ａ，２１ａ，２３ａ，２５ａを備えている。各ローラ１７〜２５は、１つのステップモータ２６（図３に図示）に作動連結されている。分離ローラ１８及びレジストローラ１９は、それぞれ電磁式のクラッチ２７，２８（図３に図示）を介してステップモータ２６に作動連結されている。さらに、原稿給送部１１は、裏面読取用ローラ２４に対向配置された密着型イメージセンサ２９を備えている。密着型イメージセンサ２９は読取手段に相当する。
【００１８】
図１に示すように、原稿給送部１１の原稿台１４には、原稿台１４上に載置された原稿の幅に基づいて主走査方向のサイズを検知するための原稿サイズ検知センサＤＬＳが設けられている。また、ピックアップローラ１７とシャッター１６との間には、シャッター１６に当接された原稿の有無を検知する原稿有無検知センサＤＳ１が設けられている。また、分離ローラ１８とレジストローラ１９との間における分離ローラ１８寄りには、搬送される原稿の位置を検知する第１原稿位置検知センサＤＳＳが設けられている。レジストローラ１９の近傍には、レジストローラ１９に原稿の前端が当接したことを検知するためのレジストセンサＤＲＳが設けられている。また、第１給送ローラ２０と第２給送ローラ２１との間における第２給送ローラ２１寄りには、原稿の位置を検知する第２原稿位置検知センサＤＳ２が設けられている。さらに、第３給送ローラ２３と裏面読取用ローラ２４との間には、原稿の位置を検知する第３原稿位置検知センサＤＳ３が設けられている。複合機１０の搬送経路カバーＫは、前記各ローラ、前記各種センサ、密着型イメージセンサ２９を覆うように配置されるとともに、複合機１０の上部ケースＵＫに対して着脱可能に設けられている。
【００１９】
図２に示すように、原稿載置部１２は、上面に原稿を載置するための透明な原稿載置板３０と、その原稿載置板３０上において開閉回動可能に配設された押え蓋３１とを備えている。そして、原稿給送部１１の原稿台１４及び原稿排出台１５は、この原稿載置部１２の押え蓋３１上に配設されている。
【００２０】
また、図１及び図２に示すように、読取手段としての読取部を構成する原稿読取機構部１３は、原稿給送部１１の表面読取用ローラ２２に対抗配置された透光板３２と、この透光板３２上を通過する原稿または原稿載置板３０上に載置された原稿に光を照射する光源３３とを備えている。また、原稿読取機構部１３は、原稿からの反射光の光路を変更する第１ミラー３４、第２ミラー３５及び第３ミラー３６と、光源３３及び第１〜第３ミラー３４〜３６を移動させるための図示しない周知の移動機構とを備えている。さらに、原稿読取機構部１３は、第３ミラー３６からの光を収束させる集光レンズ３７と、その集光レンズ３７を通して入射した光に基づき原稿の画像を読み取るとともに、その読み取った原稿の画像信号を出力する撮像素子（ＣＣＤ）３８とを備えている。
【００２１】
光源３３及び第１ミラー３４は、移動機構によって副走査方向に移動配置される第１キャリッジ３９に支持されている。第２及び第３ミラー３５，３６は、同じく副走査方向に移動配置される第２キャリッジ４０に支持されている。第１キャリッジ３９は、移動機構により第２キャリッジ４０の２倍の移動速度で移動される。そして、第１キャリッジ３９及び第２キャリッジ４０は、その移動範囲のほぼ中央に設定された待機位置Ｐ１から、透光板３２の真下に対向位置する読取位置Ｐ２とに移動配置される。また、原稿載置板３０の原稿給送部１１側における端部の真下に対向位置する位置Ｐ３と、原稿載置板３０の反対側における端部の真下に対抗位置する位置Ｐ４との間を移動される。
【００２２】
以上のように構成された原稿給送部１１と原稿読取機構部１３とは原稿自動読取装置（ＡＤＦ）を構成し、第１及び第２キャリッジ３９，４０を読取位置Ｐ２に配置した状態で、透光板３２上を通過する原稿を読み取る。また、原稿載置部１２と原稿読取機構部１３とはフラットベッドスキャナ（ＦＢＳ）を構成し、第１及び第２キャリッジ３９，４０を位置Ｐ３から位置Ｐ４まで移動させることにより、原稿載置板３０上に載置された原稿を読み取る。
【００２３】
次に、本実施形態の電気的構成について説明する。
図３に示すように、複合機１０は、各センサＤＬＳ，ＤＳ１，ＤＳＳ，ＤＲＳ，ＤＳ２，ＤＳ３と、原稿読み取り用のスタートボタン４１ａとから入力する各信号に基づいて、ステップモータ２６、分離ローラクラッチ２７、レジストローラクラッチ２８、密着型イメージセンサ２９及び撮像素子３８を制御する制御装置４２を備えている。スタートボタン４１ａは、操作部４１に設けられている。又、操作部４１には、記録紙を選択する選択キー４１ｂが設けられている。選択キー４１ｂは後述する記録紙供給部４６の複数の記録紙カセットのいずれかを選択するために操作されると、制御装置４２に選択信号を入力する。
【００２４】
制御装置４２は、ＭＰＵ、ＲＯＭ，ＲＡＭ等を備えると共に、原稿の副走査方向や主走査方向におけるサイズ等を記憶するための読み出し書き込み可能な記憶部４３を備えている。本実施形態では、ＥＥＰＲ０Ｍにて記憶部４３が構成されている。また、制御装置４２は、原稿が分離ローラ１８から繰り込まれた原稿の送り込み量をカウントするために、ステップモータ２６のステップ数をカウントするようにされており、記憶部４３のカウント領域（図示しない）にそのカウント数を記憶する。又、記憶部４３の設定カウント数記憶領域には、予め基準時間指標として設定カウント数ＣＲが、定形サイズ毎に記憶されており、後述するフローチャートにおいて、原稿の横方向のサイズが確定したときに、一義的に、その横方向のサイズに対応した１つの設定カウント数ＣＲが読み出されるようになっている。記憶部４３は記憶手段に相当する。
【００２５】
表示手段としての表示装置４４は、制御装置４２に電気的に接続されている。表示装置４４は、ＬＣＤ（液晶表示装置）からなり、制御装置４２の表示制御により、種々の表示を行う。
【００２６】
制御装置４２は、前記各種センサの検出信号に基づいて、原稿台１４上に載置された複数の原稿を一枚ずつ搬送経路に送り込み、搬送経路に沿って搬送している間に、撮像素子３８、密着型イメージセンサ２９にて原稿の表面及び裏面の読み取りを行なわせ、読み取りが行なわれた原稿を原稿排出台１５に順次排出する読取制御を実行する。
【００２７】
なお、図３において図示はしないが、制御装置４２には、受信画像データや前記読取部が読み取った画像データを記録する記録部、ファクシミリ用のモデム、ＮＣＵ、コーデック等が接続されているが、これらは本発明と直接関係しないため、説明を省略する。
【００２８】
記録紙を前記記録部に供給する記録紙供給部４６は複数個、例えば、３個の記録紙カセットを備えている。各記録紙カセットには、収容される記録紙のサイズを検出する記録紙サイズ検知センサＳＳ１〜ＳＳ３及び、記録紙の有無を検出する記録紙有無検知センサＳａ１〜Ｓａ３が設けられており、制御装置４２に電気的に接続されている。制御装置４２は、表示装置４４の表示画面に対して前記各記録紙カセット表示するとともに、記録紙サイズ検知センサＳＳ１〜ＳＳ３の検出信号に基づいて前記記録紙カセットに収容されている記録紙のサイズを前記表示された各記録紙カセットと対応して前記表示画面４に表示制御するようになっている。又、制御装置４２は、記録紙サイズ検知センサＳＳ１〜ＳＳ３の検出信号により、各記録紙カセットに記録紙が収容されているか否かを判定する。さらに、制御装置４２は、操作部４１の選択キー４１ｂが操作されて選択信号を入力すると、その選択信号に基づく選択情報を記憶部４３に記憶する。この選択情報により、選択された記録紙カセットが特定できる。従って、選択情報は、選択された記録紙カセットが収納する記録紙を選択したことを意味している。
【００２９】
次に、複合機１０の処理動作について、図４に示すフローチャートを用いて説明する。図４は制御装置４２のＭＰＵがＲＯＭに格納した制御プログラムに基づいて実行する原稿サイズ判定処理のフローチャートである。なお、以下のＳはステップを表す。又、説明の便宜上、下記のフローチャートが実行される前には、選択キー４１ｂは選択操作されておらず、記憶部４３には、選択情報が記憶されていないものとする。
【００３０】
原稿が原稿台１４に載置され、スタートボタン４１ａが操作されると、ステップモータ２６によって分離ローラ１８等の各ローラがステップモータ２６にて駆動されて、原稿台１４上の１枚の原稿が送り方向に駆動されて搬送経路に供給される。Ｓ１１０で、原稿の前端が第１原稿位置検知センサＤＳＳにて検出されると、Ｓ１２０において、制御装置４２は、原稿サイズ検知センサＤＬＳからの検出信号に基づいて原稿の横方向（原稿の送り方向とは直交する方向(主走査方向）)のサイズ（定形サイズ）を確定する。Ｓ１３０では、制御装置４２は原稿の前端が検出されてからの、ステップモータ２６のステップ数のカウントを行う（Ｓ１３０）。このときのカウント数をＣで表す。
【００３１】
Ｓ１４０では、制御装置４２はＳ１３０において前記原稿の横方向のサイズの確定によって一義的に割り出される設定カウント数ＣＲを記憶部４３の設定カウント数記憶領域から読み出し、カウント数Ｃが、設定カウント数ＣＲ以上になったか否かを判定する。カウント数Ｃが設定カウント数ＣＲ未満の場合は、Ｓ１３０に戻る。カウント数Ｃが設定カウント数ＣＲ以上となった場合は、Ｓ１５０において、カウントアップしたものとして、ステップモータ２６を停止する。Ｓ１５０における処理を行う制御装置４２は、原稿の搬送を停止させる手段（停止手段）に相当する。又、ステップモータ２６や、搬送経路に設けられた各ローラは、搬送手段に相当する。
【００３２】
なお、本実施形態の複合機１０が使用を前提としている原稿のサイズは、前記記録紙カセットに収納可能な記録紙と対応する定形サイズとしている。そして、このような原稿が搬送経路に搬入された場合、Ｓ１５０でステップモータ２６が停止したとき、その原稿の前端が、第２原稿位置検知センサＤＳ２の手前で必ず停止できるように、第２原稿位置検知センサＤＳ２と第１原稿位置検知センサＤＳＳ間の原稿搬送距離と、原稿搬送速度が設定されている。従って、Ｓ１５０でステップモータ２６が停止されると、原稿は、その前端が第２原稿位置検知センサＤＳ２の手前で停止して位置している。第２原稿位置検知センサＤＳ２は本発明の原稿読取準備用検出手段に相当する。
【００３３】
次に、Ｓ１６０において、制御装置４２は第１原稿位置検知センサＤＳＳ（なお、図４においては、ＤＳＳセンサと表記）にて原稿の後端検出が行われていることにより原稿の送り方向長さを確定する。次に、Ｓ１７０において、制御装置４２は、Ｓ１２０の検出結果である原稿の主走査方向のサイズとＳ１６０で確定した原稿の送り方向サイズ（副走査方向サイズ）に基づいて、原稿のサイズ（原稿サイズ）を確定する。
【００３４】
Ｓ１８０では、制御装置４２はＳ１７０で確定した原稿サイズと対応する記録紙があるか否かを判定する。詳しくは、制御装置４２は、Ｓ１７０で確定した原稿サイズと対応する記録紙用の記録紙カセットが用意されており、かつ、その記録紙カセットに記録紙があるか否かを、記録紙サイズ検知センサＳＳ１〜ＳＳ３及び記録紙有無検知センサＳａ１〜Ｓａ３の検出信号に基づいて判定する。対応する記録紙があると判定した場合は、Ｓ２００に移行して、制御装置４２は、ステップモータ２６をオンし、前端が第２原稿位置検知センサＤＳ２の手前で停止した原稿の搬送を開始し、原稿読取準備を行う。この原稿読取準備は、読取手段としての読取部を構成する密着型イメージセンサ２９及び原稿読取機構部１３に対する通過速度を予め設定された搬送速度にして行うことである。
【００３５】
なお、前記通過速度の情報（通過速度情報）は、操作部４１に設けられた図示しない等倍／縮小拡大設定キーにて、予め、等倍、縮小、及び拡大コピーのいずれかが選択される操作が行われることにより、制御装置４２の記憶部４３に記憶されている。そして、Ｓ２００のステップモータ２６のオンにより、この記憶部４３に記憶された通過速度情報に基づいて、制御装置４２は原稿の搬送を開始し、Ｓ２１０の読取処理等を含む次の処理へ移行する。
【００３６】
又、Ｓ１８０で、前記各センサの検出信号に基づいて、Ｓ１７０で確定した原稿サイズと対応する記録紙用の記録紙カセットは用意されているが、その記録紙カセットに記録紙が無いことを制御装置４２が判定すると、対応する記録紙が無いとして、Ｓ１９０に移行する。Ｓ１９０では制御装置４２は、表示装置４４に記録紙が無い記録紙カセットを表示するとともに、「記録紙の補充」の文字を表示し、その記録紙設定を促す。
【００３７】
又、Ｓ１８０で、前記各センサの検出信号に基づいて、Ｓ１７０で確定した原稿サイズと対応する記録紙を収納した記録紙カセットは用意されていないことを制御装置４２は判定すると、対応する記録紙が無いとして、Ｓ１９０に移行する。この場合は、制御装置４２は、表示装置４４に、原稿サイズに対応する記録紙が無い旨を表示して、記録紙設定を促す。表示装置４４は判定手段に相当する。
【００３８】
オペレータは、Ｓ１９０において表示装置４４にて記録紙設定を促された場合、原稿のサイズに対応する記録紙の補充や、原稿のサイズに対応する記録紙を収納した記録紙カセットを設定するか、或いは、選択キー４１ｂにて、原稿サイズに対応していない他のサイズの記録紙を収容している記録紙カセットを選択操作する。この後、オペレータは、スタートボタン４１ａを操作すると、制御装置４２は、図５に示す処理動作を行う。
【００３９】
次に、図５のフローチャートを説明する。
図５は制御装置４２のＭＰＵがＲＯＭに格納した制御プログラムに基づいて実行する処理のフローチャートである。
【００４０】
Ｓ４１０では、制御装置４２はＳ１８０と同様に、制御装置４２はＳ１７０で確定した原稿サイズと対応する記録紙があるか否かを判定する。ここで、原稿のサイズに対応する記録紙が補充されたことを示す情報は、原稿のサイズに対応した記録紙を収納している記録紙カセットの記録紙有無検知センサの検出信号が相当する。この検出信号が検出されると、制御装置４２は対応する記録紙があると判定し、Ｓ４５０に移行して、制御装置４２は、ステップモータ２６をオンし、前端が第２原稿位置検知センサＤＳ２の手前で停止した原稿の搬送を開始し、原稿読取準備を行う。この原稿読取準備は、読取部を構成する密着型イメージセンサ２９及び原稿読取機構部１３に対する通過速度を予め設定された搬送速度にして行うことである。
【００４１】
なお、前記通過速度の情報（通過速度情報）は、操作部４１に設けられた図示しない等倍／縮小拡大設定キーにて、予め、等倍、縮小、及び拡大コピーのいずれかが選択される操作が行われることにより、制御装置４２の記憶部４３に選択情報が記憶されている。そして、Ｓ４５０のステップモータ２６のオンにより、この記憶部４３に記憶された通過速度情報に基づいて、制御装置４２は原稿の搬送を開始し、Ｓ４６０の読取処理等を含む次の処理へ移行する。Ｓ４５０において、ステップモータ２６をオン制御（駆動）する制御装置４２は、原稿のサイズに対応する記録紙が補充されたことを示す情報、又は、搬送されている原稿のサイズとは対応しない記録紙を選択する選択情報に基づいて原稿搬送を再開すべく、前記搬送手段を制御する手段（制御手段）に相当する。
【００４２】
Ｓ４１０において、対応する記録紙がない場合は、Ｓ４２０において、原稿サイズに対応していない他の記録紙の選択がされているか否かを記憶部４３に選択情報が格納されているか否かに基づいて判定する。記憶部４３に選択情報がない場合には、Ｓ４４０に移行し、Ｓ１９０と同様に表示装置４４に記録紙設定を促す旨の表示を行い、フローチャートを終了する。又、Ｓ４２０において、選択情報が記憶されている場合には、次のＳ４３０において、選択情報に基づき特定された記録紙カセットの記録紙有無検知センサＳａ１〜Ｓａ３の検出信号に基づいて、記録紙の有無を検出し、記録紙がなければ、Ｓ４４０において、記録紙設定を促す旨の表示を行い、フローチャートを終了する。記録紙有無検知センサＳａ１〜Ｓａ３は、記録紙有無検出手段に相当する。
【００４３】
又、Ｓ４３０において、制御装置４２は、選択情報に基づき特定された記録紙カセットの記録紙有無検知センサＳａ１〜Ｓａ３の検出信号に基づいて、記録紙があることを検出すると、Ｓ４４０に移行して、ステップモータ２６をオンする。この結果、前端が第２原稿位置検知センサＤＳ２の手前で停止した原稿の搬送が開始され、原稿読取準備が行われる。この原稿読取準備は、読取部を構成する密着型イメージセンサ２９及び原稿読取機構部１３に対する通過速度を予め設定された搬送速度にして行われることである。
【００４４】
なお、前記通過速度の情報（通過速度情報）は、操作部４１に設けられた図示しない等倍／縮小拡大設定キーにて、予め、等倍、縮小、及び拡大コピーのいずれかが選択される操作が行われることにより、制御装置４２の記憶部４３に選択情報が記憶されている。そして、Ｓ４５０のステップモータ２６のオンにより、この記憶部４３に記憶された通過速度情報に基づいて、制御装置４２は原稿の搬送を開始し、Ｓ４６０の読取処理等を含む次の処理へ移行する。
【００４５】
次に、図６を参照して、読取処理について説明する。図６は、制御装置４２が実行する原稿の読取処理のフローチャートであって、Ｓ２１０，Ｓ４６０の詳細である。この読取処理は、密着型イメージセンサ２９による裏面読取位置ＢＰ（図１に図示）、及び撮像素子３８による表面読取位置ＦＰ（図１に図示）に原稿を搬送する制御処理である。
【００４６】
読取処理において、制御装置４２は、まずＳ３００で、第２原稿位置検知センサＤＳ２により、搬送経路内を搬送されている原稿の前端を検知し、原稿の前端が表面読取位置ＦＰに達した時点から、撮像素子３８による原稿表面の読取を開始する。この原稿の前端が検知されると、制御装置４２は、読取部を構成する密着型イメージセンサ２９及び原稿読取機構部１３に対する通過速度を予め設定された搬送速度にして行う。
【００４７】
図示しない等倍／縮小拡大設定キーにて、予め、等倍、縮小、及び拡大コピーのいずれかが選択されていると、選択されたコピーのための通過速度にて、すなわち、等倍のための通過速度、縮小コピーのための通過速度、拡大コピーのための通過速度のいずれかの速度にて制御装置４２は、ステップモータ２６を駆動制御する。なお、縮小コピーの通過速度＞等倍コピーの通過速度＞拡大コピーの通過速度とされている。
【００４８】
次に、制御装置４２は、Ｓ３１０において、第３原稿位置検知センサＤＳ３により、原稿の前端を検知し、原稿の前端が裏面読取位置ＢＰに達した時点から、密着型イメージセンサ２９による原稿裏面の読取を開始する。次に、制御装置４２は、Ｓ３２０において、第２原稿位置検知センサＤＳ２により、原稿の後端を検知する。そして、Ｓ３２０で原稿の後端を検知したときには、次に、Ｓ３３１０で、ステップモータ２６の駆動ステップ数を用いて、原稿の後端が表面読取位置ＦＰに達したか否かを判断する。制御装置４２は、Ｓ３３０で原稿の後端が表面読取位置ＦＰに達していたときには、次にＳ３４０で、撮像素子３８による原稿表面の読取を終了する。
【００４９】
Ｓ３４０で原稿表面の読み取りを終了した後、制御装置４２は、Ｓ３５０で、第３原稿位置検知センサＤＳ３により、搬送されている原稿の後端を検知し、原稿の後端が裏面読取位置ＢＰに達した時点で、密着型イメージセンサ２９による原稿裏面の読取を終了する。この密着型イメージセンサ２９による原稿裏面の読み取りの終了をもって、本実施形態原稿の読取終了としている。
【００５０】
以上のように構成された複合機１０によれば、Ｓ４２０，Ｓ４３０において、原稿サイズと異なる他のサイズの記録紙が選択された場合、原稿は、第２原稿位置検知センサＤＳ２（原稿読取準備用検出手段）の前で停止しているため、原稿搬送が再開されると、原稿は第２原稿位置検知センサＤＳ２にて検出される。このため、原稿読取準備を自動的に行うことができる。この結果、支障なく、原稿を密着型イメージセンサ２９、原稿読取機構部１３（読取手段）にて、読み取ることができる。この結果、混載原稿の読取時において、原稿のサイズに対応する記録紙がない場合の使い勝手を向上させることができる。
【００５１】
（第２実施形態）
次に、第２実施形態を図７を参照して説明する。第２実施形態のハード構成は、第１実施形態と同じ構成であるため、第１実施形態と同一構成については同一符号を付し、異なるところを中心に説明する。図７は制御装置４２のＭＰＵが実行する原稿サイズ判定処理のフローチャートであり、第１実施形態と同一ステップは、同一符号を付してその説明を省略する。なお、図５及び図６の処理も第２実施形態では実行する。
【００５２】
第２実施形態では、図４におけるＳ１５０及びＳ２００を省略して、図７に示すようにＳ１８０とＳ１９０の間にＳ１８５の処理を行い、Ｓ１８０において、「ＮＯ」と判定されると、Ｓ２１０に移行するところが異なっている。制御装置４２は、Ｓ１８０において、原稿のサイズに対応する記録紙がないと判定すると、Ｓ１８５では、ステップモータ２６を停止する。又、Ｓ１８０において、原稿のサイズに対応する記録紙があると判定すると、制御装置４２はＳ２１０において、読取処理を実行する。
【００５３】
この結果、第２実施形態では、第１実施形態と異なり、Ｓ１４０の処理の後、ステップモータ２６を停止することなく、Ｓ１８０において、原稿のサイズに対応する記録紙がない場合に、ステップモータ２６を停止する。
【００５４】
なお、第２実施形態の複合機１０が使用を前提としている原稿のサイズは、前記記録紙カセットに収納可能な記録紙と対応する定形サイズとしている。そして、このような原稿が搬送経路に搬入された場合、Ｓ１８５でステップモータ２６が停止したとき、その原稿の前端が、第２原稿位置検知センサＤＳ２の手前で必ず停止できるように、第２原稿位置検知センサＤＳ２と第１原稿位置検知センサＤＳＳ間の原稿搬送距離と、原稿搬送速度が設定されている。従って、Ｓ１８５でステップモータ２６が停止されると、原稿は、その前端が第２原稿位置検知センサＤＳ２の手前で停止して位置している。第２原稿位置検知センサＤＳ２は本発明の原稿読取準備用検出手段に相当する。
【００５５】
Ｓ１８５の処理を行う制御装置４２は、原稿の搬送を停止させる手段（停止手段）に相当する。又、ステップモータ２６や、搬送経路に設けられた各ローラは、搬送手段に相当する。又、Ｓ４５０において、ステップモータ２６をオン制御（駆動）する制御装置４２は、原稿のサイズに対応する記録紙が補充されたことを示す情報、又は、搬送されている原稿のサイズとは対応しない記録紙を選択する選択情報に基づいて原稿搬送を再開すべく、前記搬送手段を制御する手段（制御手段）に相当する。従って、第２実施形態においても、第１実施形態と同様の効果を奏する。
【００５６】
（第３実施形態）
次に、第３実施形態を図８を参照して説明する。第３実施形態は、第１実施形態の変形の実施形態であり、図８に示すように、図４のＳ１８０とＳ１９０の間に、Ｓ１８２のステップを設けたものである。Ｓ１８２では、制御装置４２は、報知モードか読取中止モードかを判定する。具体的には、図３に示すように操作部４１に「報知モード」と、「読取中止モード」の設定を行う設定キー４１ｃを設けており、予め設定キー４１ｃにて、「報知モード」、「読取中止モード」のいずれかの設定を行うと、記憶部４３にそのモード設定情報が記憶される。Ｓ１８２では、制御装置４２はこの記憶部４３に記憶されたモード設定情報に基づいて、Ｓ１８２の判定処理を行う。Ｓ１８２において、報知モードが設定されている場合は、Ｓ１９０の処理を行い、読取中止モードが設定されている場合は、Ｓ２２０に移行する。Ｓ２２０では、ステップモータ２６を制御装置４２はオン制御し、第２原稿位置検知センサＤＳ２の前で停止していた原稿に対して読取処理を行わないで、搬送経路から排出処理を行う。
【００５７】
この結果、第３実施形態では、オペレータの選択により、「報知モード」、「読取中止モード」が設定され、「報知モード」が設定された場合に、第１実施形態と同様の効果を奏する。又、オペレータが「読取中止モード」を設定した場合には、原稿サイズに対応した記録紙が無い場合、原稿に対して読取処理を行わず搬送経路から自動的に排出することができる。
【００５８】
第３実施形態では、表示装置４４は、報知手段に相当し、設定キー４１ｃ及び記憶部４３は設定手段に相当する。又、制御装置４２は、報知制御手段及び原稿排出制御手段に相当する。
【００５９】
（第４実施形態）
次に、第４実施形態を図９を参照して説明する。第４実施形態は、第２実施形態の変形の実施形態であり、図９に示すように、図５のＳ１８０とＳ１８５の間に、第３実施形態と同様のＳ１８２のステップを設けたものである。Ｓ１８２では、制御装置４２は、報知モードか読取中止モードかを判定する。モードの設定の仕方は、第３実施形態と同様である。Ｓ１８２において、報知モードが設定されている場合は、Ｓ１８５の処理を行い、読取中止モードが設定されている場合は、Ｓ２３０に移行する。Ｓ２３０では読取処理を行わないで、搬送経路から排出処理を行う。
【００６０】
この結果、第４実施形態では、オペレータの選択により、「報知モード」、「読取中止モード」が設定され、「報知モード」が設定された場合に、第１実施形態と同様の効果を奏する。又、オペレータが「読取中止モード」を設定した場合には、原稿サイズに対応した記録紙が無い場合、原稿に対して読取処理を行わず搬送経路から自動的に排出することができる。
【００６１】
第４実施形態においても、第３実施形態と同様に、表示装置４４は報知手段に相当し、設定キー４１ｃ及び記憶部４３は設定手段に相当する。又、制御装置４２は、報知制御手段及び原稿排出制御手段に相当する。
【００６２】
なお、前記各実施形態は、原稿の両面を読み取るようにしたが、一面側のみを読み取る原稿読取装置に具体化してもよい。又、本発明を複合機ではなく、コピー機に具体化してもよい。
【図面の簡単な説明】
【００６３】
【図１】第１実施形態の複合機における原稿給送部及び読取部を示す縦断面図。
【図２】複合機の上部を示す縦断面図。
【図３】複合機の電気的構成を示すブロック図。
【図４】第１実施形態の制御装置４２のＭＰＵが実行する原稿サイズ判定処理のフローチャート。
【図５】同じく制御装置４２のＭＰＵが実行する処理のフローチャート。
【図６】同じく制御装置４２のＭＰＵが実行する読取処理のフローチャート。
【図７】第２実施形態の制御装置４２の制御装置４２のＭＰＵが実行する原稿サイズ判定処理のフローチャート。
【図８】第３実施形態の制御装置４２のＭＰＵが実行する原稿サイズ判定処理のフローチャート。
【図９】第４実施形態の制御装置４２のＭＰＵが実行する原稿サイズ判定処理のフローチャート。
【符号の説明】
【００６４】
ＤＳ２…第２原稿位置検知センサ（原稿読取準備用検出手段）
Ｓａ１〜Ｓａ３…記録紙有無検知センサ（記録紙有無検出手段）
１０…複合機
４１ｃ…設定キー（設定手段）
４２…制御装置（停止手段、判定手段、制御手段、報知制御手段及び原稿排出制御手段）
４３…記憶部（設定手段）
４４…表示装置（報知手段）
【図１】
2005164959.tif 000003
【図２】
2005164959.tif 000004
【図３】
2005164959.tif 000005
【図４】
2005164959.tif 000006
【図５】
2005164959.tif 000007
【図６】
2005164959.tif 000008
【図７】
2005164959.tif 000009
【図８】
2005164959.tif 000010
【図９】
2005164959.tif 000011